(57)【要約】      （修正有）【課題】収容スペース、第１の接続面および第２の接続面を形成するモジュラー接続式ハウジングを提供する。【解決手段】収容スペースはモジュラー化接続ハウジング１０の内部に形成され、第１の接続面１２と第２の接続面１４はそれぞれハウジングの外部の相対する面に位置している。モジュラー接続式ハウジングは、ラッチ１２２、ガイド１２４、第１のストッパー１２６、第３のストッパー１２８、第１のスナップ１２１０、スロット１４２、ガイドスロット、第２のストッパーおよび第２のスナップ１４８を含む。ラッチおよびスロットはそれぞれ相対する面に設置されている。ガイドとガイドスロットはそれぞれ相対する面に設置されている。第１のストッパと、ガイドとが同じ面に設置される。第３のストッパおよび第２のストッパは、それぞれ相対する面に設置される。第１スナップ及び第２スナップはそれぞれ相対する面に設置される。【選択図】図１
0003228253.tif 000002
【実用新案登録請求の範囲】
【請求項１】
収容スペース、第１の接続面および第２の接続面を形成し、内部に前記収容スペースが形成され、前記第１の接続面と前記第２の接続面がそれぞれ外部の相対する面に位置するモジュラー接続式ハウジングであって、
前記第１の接続面に設置され、ラッチ、ガイド、第１のストッパー、第３のストッパーと第１のスナップを有し、前記ラッチと前記第１スナップはそれぞれ前記第１の接続面の先端部分に設置され、前記ガイドと前記第１ストッパーは前記第１の接続面の中間部分に設置され、前記第３ストッパーは前記第１の接続面の後端部分に設置される第１接続モジュールと、
前記第２の接続面に設置され、スロット、ガイドスロット、第２ストッパーと第２スナップを有し、前記スロットと前記第２スナップはそれぞれ前記第２の接続面の先端部分に設置され、前記スロットは前記ラッチと対応し、前記第２スナップは前記第１スナップと対応し、前記ガイドスロットは前記第２接続面の中間部分に設置され、前記ガイドと対応し、前記第２ストッパーは前記第２の接続面の後端部分に設置される第２接続モジュールと、
を備えることを特徴とするモジュラー接続式ハウジング。
【請求項２】
前記ラッチは、凸ブロックをさらに含み、
前記スロットは、凹部をさらに含むことを特徴とする請求項１に記載のモジュラー接続式ハウジング。
【請求項３】
前記ガイドは、上層部と下層部をさらに含み、
前記上層部は前記下層部と接続しており、前記下層部は前記第１の接続面と接続して、前記下層部が前記上層部と前記第１の接続面との間に設置され、前記上層部の面積は前記下層部の面積よりも大きいことを特徴とする請求項１に記載のモジュラー接続式ハウジング。
【請求項４】
前記ガイドは、円型の前縁を有し、１つの角度で他のモジュラー接続式ハウジングの第２ガイドスロットに挿入し、前記第２ガイドスロットは円型のスロットであり、もう一つの前記モジュラー接続式ハウジングは、第４スナップと第４ストッパーを有することを特徴とする請求項１に記載のモジュラー接続式ハウジング。
【請求項５】
前記ガイドが前記第２ガイドスロットと接続した後、前記ガイドが第１ストッパに止められまで一方向に向けて回転することを特徴とする請求項４に記載のモジュラー接続式ハウジング。
【請求項６】
前記ガイドが前記第２ガイドスロットと接続した後、第１スナップは前記第４スナップを留めることを特徴とする請求項４に記載のモジュラー接続式ハウジング。
【請求項７】
前記ガイドが前記第２ガイドスロットと接続した後、第３ストッパーが第４ストッパーに突き当たることを特徴とする請求項４に記載のモジュラー接続式ハウジング。
【請求項８】
第３ストッパーは更に第１接続面に設置された一つのストップブロックを提供し、前記ガイドが前記第２ガイドスロットと接続した後、前記ストップブロックはモジュラー接続式ハウジングが他のモジュラー接続式ハウジングと分離するのを止める役割を果たすことを特徴とする請求項４に記載のモジュラー接続式ハウジング。
【請求項９】
前記第１スナップと前記第２スナップは複数のくさび形を有しており、前記第１スナップは前記第２スナップとは異なる方向で設置されることを特徴とする請求項１に記載のモジュラー接続式ハウジング。
【請求項１０】
収容スペース、第１の接続面および第２の接続面を形成し、内部に前記収容スペースが形成され、前記第１の接続面と前記第２の接続面はそれぞれ外部の相対する面に位置するモジュラー接続式ハウジングであって、
ラッチ、ガイド、第１のストッパー、第３のストッパー、第１のスナップ、スロット、ガイドスロット、第２のストッパーおよび第２のスナップを備え、
前記ラッチおよび前記スロットはそれぞれ前記相対する面に設置され、前記ガイドと前記ガイドスロットはそれぞれ前記相対する面に設置され、前記第１のストッパは、前記ガイドと同じ面に設置され、前記第３のストッパおよび前記第２のストッパは、それぞれ前記相対する面に設置され、前記第１スナップ及び前記第２スナップはそれぞれ前記相対する面に設置されることを特徴とするモジュラー接続式ハウジング。
【考案の詳細な説明】
【技術分野】
【０００１】
本考案はコネクタの技術分野に関わり、特に複数のモジュールで構築することができるモジュラー接続式ハウジングに関するものである。
【背景技術】
【０００２】
従来のコネクタ、例えば車用のコネクタは、車の中に設置され、電子機器と接続するために使用される。
【０００３】
異なるメーカーのそれぞれの車種は、必要に応じてコネクタの使用数を調整している。例えば、一部の車種には２つのコネクタが必要で、他の車種には５つのコネクタが必要とする。メーカーにとっては、需要に応じて異なる金型を作る必要がある。したがって、異なるメーカーの異なる車種に対しては互いに転用することができない。
【考案の概要】
【考案が解決しようとする課題】
【０００４】
この現状を鑑み、本考案は、既知技術の欠陥を解決するために、モジュラー接続式ハウジングを提供する。
【課題を解決するための手段】
【０００５】
本考案の第１の目的は、モジュラー接続式ハウジングを提供することである。第１の接続モジュールと第２の接続モジュールを提供することによって、モジュラー接続を達成する。
【０００６】
本考案の第２の目的は、前記モジュラー接続式ハウジングを使用して、車両用コネクタに適用する為である。
【０００７】
本考案の第３の目的は、前記モジュラー接続式ハウジングに基づいて、複数のスナップと接続構造を提供し、２つのハウジングの間で強固な接続を実現することである。
【０００８】
前記目的とその他の目的を達成するために、本考案は、収容スペース、第１の接続面と第２の接続面を形成するモジュラー接続式ハウジングを提供する。収容スペースはハウジングの内部にあり、第１の接続面と第２の接続面はそれぞれハウジングの外部の相対する面に位置している。モジュラー接続式ハウジングは、第１接続モジュールと第２接続モジュールを含む。第１の接続モジュールは第１の接続面に設置されている。第１接続モジュールは、ラッチ、ガイド、第１ストッパー、第３ストッパーと第１スナップを含む。ラッチと第１スナップはそれぞれ第１の接続面の先端部分に設置され、ガイドと第１のストッパーは第１の接続面の中間部分に設置され、第３のストッパーは第１の接続面の後縁に設置されている。第２接続モジュールは第２接続面に設置される。第２接続モジュールは、スロット、ガイドスロット、第２ストッパーと第２スナップを含む。スロットと第２スナップは、それぞれ第２接続面の先端部分に設置される。スロットはラッチに対応し、第２スナップは第１スナップに対応する。ガイドスロットはガイドに対応する為、第２接続面の中間部分に設置される。第２のストッパーは第２の接続面の後端に設置されている。
【０００９】
前記目的とその他の目的を達成するために、本考案は収容スペース、第１の接続面と第２の接続面を形成するモジュラー接続式ハウジングを提供する。収容スペースはハウジングの内部にあり、第１の接続面と第２の接続面はそれぞれハウジングの外部の相対する面に位置している。モジュラー接続式ハウジングは、ラッチ、ガイド、第１ストッパー、第３ストッパー、第１スナップ、スロット、ガイドスロット、第２ストッパーと第２スナップを含む。ラッチとスロットはそれぞれ相対する面に設置されている。ガイドとガイドスロットはそれぞれ相対する面に設置されている。第１ストッパーとガイドは同じ面に設置されている。第３ストッパーと第２ストッパーはそれぞれ相対する面に設置されている。第１スナップと第２スナップはそれぞれ相対する面に設置されている。
【００１０】
既知の技術に比べて、本考案のモジュラー接続式ハウジングは、実際の需要に応じて数量の調整を行うことができ、固定した数の金型を追加して作る必要がなくなる。
【図面の簡単な説明】
【００１１】
【図１】図１は本考案の実施例にかかるモジュラー接続式ハウジングの斜視図である。
【図２】図２は本考案の図１にかかるモジュラー接続式ハウジングを示す正面図である。
【図３】図３は本考案の図１にかかる２つのモジュラー接続式ハウジングが接続する際の正面図である。
【図４】図４は本考案の図１にかかる２つのモジュラー接続式ハウジングが接続する際の背面図である。
【図５】図５は本考案の図１にかかるモジュラー接続式ハウジングの応用を示す図である。
【考案を実施するための形態】
【００１２】
本考案の目的、特徴及び効果を十分に理解するために、後述の実施例及び図面に基づいて、本考案を説明する。
【００１３】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１４】
本考案において、「含む」、「備える」、「有する」の用語又は他の類似用語は、非排他的なものをカバーすることを意図している。例えば、複数の要素を含むデバイス、構造、製品又は装置は、本明細書に記載された要件だけに限定されるものではなく、明確に記載されていないが、他の固有のデバイス、構造、製品、または装置を含むことができる。これ以外に、反対となる明確な説明がない限り、用語「または」は包括的な「または」を意味し、排他的な「または」を意味するものではない。
【００１５】
図１と図２を参照し、図１は本考案の実施例にかかるモジュラー接続式ハウジングの斜視図であり、図２は本考案の図１にかかるモジュラー接続式ハウジングを示す正面図である。図１において、モジュラー接続式ハウジング１０は、収容スペースＳＰ、第１の接続面１２と第２の接続面１４とを形成する。収容スペースＳＰは、モジュラー接続式ハウジング１０の内部にあり、第１の接続面１２と第２の接続面１４はそれぞれモジュラー接続式ハウジング１０の外部の相対する面に位置している。図１では、第１の接続面１２は、モジュラー接続式ハウジング１０の右側、第２の接続面１４はモジュラー接続式ハウジング１０の左側に位置している。
【００１６】
モジュラー接続式ハウジング１０は、第１の接続モジュールと第２の接続モジュールを含む。
【００１７】
第１の接続モジュールは、ラッチ１２２、ガイド１２４、第１ストッパー１２６、第３のストッパー１２８、および第１スナップ１２１０を含む。ここで、第１の接続モジュールは、第１の接続面１２に設置されている。
【００１８】
ラッチ１２２と第１スナップ１２１０はそれぞれ第１接続面１２の前端部分（または前縁と呼ぶ）に設置されている。ガイド１２４と第１ストッパー１２６は、第１の接続面１２の中間部分に設置されている。第３のストッパ１２８は、第１の接続面１２の後端部分（または後縁と呼ぶ）に設置されている。
【００１９】
図２において、第２の接続モジュールは、スロット１４２、ガイドスロット１４４、第２ストッパ１４６と第２スナップ１４８とを含む。第２の接続モジュールは、第２の接続面１４に設置されている。
【００２０】
スロット１４２と第２スナップ１４８はそれぞれ第２の接続面１４の先端部分に設置されている。ここで、スロット１４２はラッチ１２２に対応し、第２スナップ１４８は第１スナップ１２１０にと対応する。ガイドスロット１４４は第２の接続面１４の中間部分に設けられ、ガイド１２４に対応する。第２ストッパー１４６は第２の接続面１４の後端部分に設けられている。
【００２１】
各部分について以下のように説明する。図３と図４を併せて参照し、図３は本考案の図１にかかる２つのモジュラー接続式ハウジングが接続する際の正面図であり、図４は本考案の図１にかかる２つのモジュラー接続式ハウジングが接続する際の背面図である。
【００２２】
ガイド１２４は、上層部１２４２と下層部１２４４を含む。上層部１２４２は下層部１２４４と接続する。下層部１２４４は第１の接続面１２と接続し、下層部１２４４が上層部１２４２と第１接続面１２の間に配置することで、上層部１２４２の面積は下層部１２４４の面積よりも大きい。このように、ガイド１２４は例えば、楕円形、水滴形、卵形などの円形の前縁を有し、円形の前縁の角度範囲は、例えば０度から９０度の間とすることができる。
【００２３】
モジュラー接続式ハウジング１０が他のモジュラー接続式ハウジング１０’に挿入した後、モジュラー接続式ハウジング１０のガイド１２４は挿入されるモジュラー接続式ハウジング１０’のガイドスロット１４４’に挿入する。モジュール化接続型ハウジング１０’のガイドスロット１４４’は円弧スロットであり、Ｃ型スロットまたはＵ型スロットとも呼ばれる。なお、モジュラー接続式ハウジング１０’とモジュラー接続式ハウジング１０は第１接続モジュールと第２接続モジュールとを有している。モジュラー接続式ハウジング１０’の第１の接続モジュールは、ラッチ１２２’、ガイド１２４’、第１ストッパー１２６’、第３ストッパー１２８’と第１スナップ１２１０’を含み、モジュラー接続式ハウジング１０’の第２の接続モジュールは、スロット１４２’、ガイド１４４’、第２ストッパー１４６’と、第２ストッパー１４８’とを含む。また、ガイド１２４はガイドスロット１４４’と接続した後、ガイド１２４は、例えば時計回りに動き、第１のストッパー１２６に止められるまで一方向で回転する。
【００２４】
ガイド１２４がガイドスロット１４４’と接続且つ回転した後、第１スナップ１２１０は第２スナップ１４８’を留める。ここで、第１スナップ１２１０と第２スナップ１４８’は複数のくさび形とすることができる。第１スナップ１２１０と第２スナップ１４８’は異なる方向で設定される。図１の拡大図を参照して、図１にある第１スナップ１２１０のくさび形は上向きに伸び、第２スナップ１４８’のくさび形は下向きに伸びている為、第１スナップ１２１０のくさび形と第２スナップ１４８’のくさび形をかみ合わせると、第１スナップ１２１０と第２スナップ１４８’は相互に嵌合される。
【００２５】
本実施例において、図３を参照しながら、ラッチ１２２，１２２’はＬ型、スロット１４２，１４２’はＯ型を例にして説明する。Ｌ型の末端部に凸ブロック１２２２、１２２２’があって、Ｏ型の内部には凹部１４２２、１４２２’がある。凸ブロック１２２２、１２２２’の位置は、凹部の１４２２、１４２２’の位置と対応する。凸ブロック１２２２、１２２２’はラッチ１２２、１２２’の末端に形成されている。例えば、図３では、凸ブロック１２２２と凹部１４２２’が互いに嵌合する。
【００２６】
図４を参照し、ガイド１２４がガイドスロット１４４’と接続して回転した後、第３ストッパー１２８が第２ストッパー１４６’に突き当たる。第３ストッパー１２８は斜面を有する凸ブロック且つ第２ストッパー１４６’は斜面を有するストップブロックだと例にして説明する。さらに、本実施例では、第３ストッパー１２８は、ストップブロック１２８２を更に提供する（図１を参照してもよい）。ストップブロック１２８２は、同様に第１の接続面１２に設けられている。ガイド１２４とガイドスロット１４４’を接続した後、ストップブロック１２８２は、モジュラー接続式ハウジング１０とモジュラー接続式ハウジング１０’が分離することを阻止することができ、第３ストッパー１２８が第２ストッパー１４６’に突き当たるのをより強化する。
【００２７】
注意すべきのは、前記各構造は置き換えが可能であり、ラッチ１２２，１２２’とスロット１４２，１４２’とがそれぞれ相対する面に設置、ガイド１２４，１２４’とガイドスロット１４４，１４４’がそれぞれの相対する面に設置、第１ストッパー１２６，１２６’とガイド１２４，１２４’が同じ面に設置、第３ストッパー１２８，１２８’と第２ストッパー１４６，１４６’がそれぞれ相対する面に設置、および第１スナップ１２１０，１２１０’が第２スナップ１４８，１４８’がそれぞれの相対する面に設置している限り、異なる接続面で設置することができる。
【００２８】
図５を併せて参照すると、図５は本考案の図１にかかるモジュラー接続式ハウジングの応用を示す図である。図５において、モジュラー接続式ハウジング１０は例えば車用のコネクタに適用するために端子２と拡張デバイス４とを接続している。
【００２９】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３０】
２…端子
４…拡張デバイス
１０、１０  ’…モジュラー化接続ハウジング
１２…第１接続面
１２２、１２２  ’…ラッチ
１２４、１２４  ’…ガイド
１２４２…上層部
１２４４…下層部
１２６、１２６  ’…第１ストッパー
１２８、１２８  ’…第３ストッパー
１２１０、１２１０  ’…第１スナップ
１４…第２の接続面
１４２、１４２  ’．．．スロット
１４４、１４４  ’…ガイドスロット
１４６、１４６  ’…第２ストッパー
１４８、１４８  ’…第２スナップ
ＳＰ…収容スペース
【図１】
0003228253.tif 000003
【図２】
0003228253.tif 000004
【図３】
0003228253.tif 000005
【図４】
0003228253.tif 000006
【図５】
0003228253.tif 000007